(57)【特許請求の範囲】
【請求項１】
ロッド本体と、ロッド本体を支持すると共にリールを保持するグリップ部と、グリップ部に立設され、安定したキャスティングを行うためのトリガと、トリガ支持機構とを備えており、
このトリガ支持機構が、トリガの軸方向線と鉛直線とのなす角度またはこの軸方向線まわりの回転角度を変化させうるように構成されたベイトキャスティングロッド。
【請求項２】
請求項１記載のベイトキャスティングロッドにおいて、上記トリガ支持機構は、トリガに連結された支持軸と、グリップ部に設けられた、上記支持軸を挿通し得る挿通孔と、挿通孔に挿通された支持軸をグリップ部に締結するための締結部材とを備えていることを特徴とするベイトキャスティングロッド。
【請求項３】
請求項１記載のベイトキャスティングロッドにおいて、上記トリガ支持機構は、トリガに連結された支持軸と、支持軸の先端に設けられた球状部材と、グリップ部に設けられ、上記球状部材を摺動可能に囲繞保持する球状内周面を有する保持器とを備えていることを特徴とするベイトキャスティングロッド。
【請求項４】
請求項３記載のベイトキャスティングロッドにおいて、上記球状部材を保持器に固定する固定部材をさらに備えていることを特徴とするベイトキャスティングロッド。
【発明の詳細な説明】
【０００１】
【発明の属する技術の分野】
この発明は、ベイトキャスティングロッドの構造、特にキャスティングの際に指を掛けるトリガの構造に関するものである。
【０００２】
【従来の技術および発明が解決しようとする課題】
図５は、従来のベイトキャスティングロッドにリールを取り付けた状態を示す要部拡大図である。
【０００３】
同図に示すように、ベイトキャスティングロッド（以下、適宜「ロッド」という。）１は、通常はベイトリール２が装着される。釣人は、ロッド２をベイトリール３と共に片手で把持し、ロッドの弾力を利用してベイト（一般にルアー）をキャストする。
【０００４】
このようにロッド１をベイトリール２と共に把持すると、キャスティング時にロッド１を安定させることが困難となる。このため、ロッド１には一般にトリガ３と呼ばれる指掛部が立設されている。釣人は、このトリガ３の指掛面５（トリガ３の前面）に人差指あるいは中指を掛けた状態でロッド１をベイトリール２と共に把持することにより、キャスティング時にロッド１を安定して保持し、正確なキャスティングが可能となる。
【０００５】
ところで、従来のロッド１では、トリガ２は、リールシート４（リールを装着する部分）と共に一体的に形成されたものである。このため、次のような問題があった。
【０００６】
まず、釣人の手の大きさや指の長さは千差万別であるため、キャスティング時にロッド１を安定して保持するためには、釣人の手に合わせたトリガ３の大きさや角度を設定する必要がある。
【０００７】
ここで、トリガ３の角度について説明する。図において一点鎖線Ｎはトリガ３の軸方向線を示している。そして、トリガ３の角度とは、この軸方向線Ｎと鉛直線Ｐとがなす角度αおよび軸方向線Ｎまわりの回転角βをいう。これらα、βを適宜設定することにより、釣人の手に合致した指掛面の角度を決定することができる。
【０００８】
しかし、従来のロッド１ではトリガ３は固定式のものであるから、釣人によってはトリガ３が手になじまず、ロッド１を安定して保持することが困難な場合もある。
【０００９】
しかも、ルアーフィッシングの場合には、キャスティングの回数がきわめて多い。このため、トリガ３が手になじまないときは、長時間の釣りを行うと指が痛くなったりすることもある。
【００１０】
そこで、本発明の目的は、釣人の手のサイズにかかわらずトリガを手になじませて、長時間の釣りを快適に行うことができるベイトキャスティングロッドを提供することである。
【００１１】
【課題を解決するための手段】
上記目的を達成するためには、ロッドを把持する釣人の手、指のサイズに合わせてトリガの角度を変えることが重要である。
【００１２】
(1) 本願に係るベイトキャスティングロッドは、ロッド本体と、ロッド本体を支持すると共にリールを保持するグリップ部と、グリップ部に立設され、安定したキャスティングを行うためのトリガと、トリガ支持機構とを備えている。このトリガ支持機構は、トリガの軸方向線と鉛直線とのなす角度またはこの軸方向線まわりの回転角度を変化させうるように構成されている。
【００１３】
この構成によれば、トリガ支持機構により、トリガの角度を変化させて釣人の手、指のサイズに合致したトリガの角度を設定することができる。これにより、釣人がロッドを把持したときに、釣人の指がトリガの指掛面に良好に当接し、安定してロッドを保持することができる。
【００１４】
(2)  上記トリガ支持機構は、トリガに連結された支持軸と、グリップ部に設けられた、上記支持軸を挿通し得る挿通孔と、挿通孔に挿通された支持軸をグリップ部に締結するための締結部材とを備えて構成することができる。
【００１５】
この構成によれば、トリガに支持軸を連結し、当該支持軸を挿通孔に挿通することにより、トリガはグリップ部に対して支持軸の軸方向まわりに回動自在に装着される。そして、トリガを支持軸まわりに回転させることにより、トリガの角度を変化させることができる。
【００１６】
また、上記トリガ支持機構は、トリガに連結された支持軸と、支持軸の先端に設けられた球状部材と、グリップ部に設けられ、上記球状部材を摺動可能に囲繞保持する球状内周面を有する保持器とを備えて構成することもできる。
【００１７】
この構成によれば、トリガに支持軸を連結し、支持軸に設けられた球状部材を保持器に係合させる。すなわち、トリガはいわゆるピロボール式連結構造を介してグリップ部に立設されることになる。したがって、トリガは、グリップ部に対して全方向に所定角度だけ回転することができ、これにより、トリガの角度を変化させることができる。
【００１８】
さらに、上記球状部材を保持器に固定するための固定部材を設けることもできる。この固定部材を設けることにより、トリガの角度を調整し、当該角度に固定することができる。つまり、釣人が自分自身に最も合致したトリガの角度を自由に設定することができる。
【００１９】
【発明の実施の形態】
以下、本発明の実施の形態について説明する。
＜第１の実施形態＞
図１は、本発明の第１の実施形態に係るベイトキャスティングロッドの要部拡大図である。
【００２０】
このロッド１０はベイトリール１１を装着するようになっており、釣人は、ロッド１０をリール１１と共に片手で把持し、ロッド１０の弾力を利用してベイトをキャストするようになっている。ロッド１０には、キャスティングの際にロッド１０を安定してホールドするためのトリガ１２が設けられている。
【００２１】
本実施形態の特徴とするところは、このトリガ１２が、その支持軸１３のまわりに回転し得る状態で立設されている点である。以下、詳しく説明する。
【００２２】
同図を参照して、ロッド１０は、細長棒状のロッド本体１４（同図ではロッド本体１４の基端部のみ図示）と、ロッド本体１４の基端部１５を片持ち状に保持したグリップ部１６と、上記トリガ１２と、トリガ１２をグリップ部１６に連結支持するトリガ支持機構１７とを備えている。
【００２３】
ロッド本体１４は、たとえばカーボン繊維等からなる筒状の部材であって、曲げ荷重に対して所定の剛性と弾性とを有している。ロッド本体１４には、図示していないが、リール１１から繰り出されまたは巻き取られるライン１８を支持し案内するためのガイド部材が適宜複数設けられている。
【００２４】
グリップ部１６は、グリップ本体１９とリールシート部２０とを備えている。本実施形態では、これらグリップ本体１９とリールシート部２０は一体的に形成されているが、これらを別部材として構成することもできる。
【００２５】
グリップ本体１９は、たとえば合成樹脂により形成することができ、本実施形態では円柱状に形成されている。グリップ本体１９の外径はロッド１０の操作がしやすいように、ロッド本体１４にくらべて大径に形成されている。
【００２６】
また、グリップ本体１９の先端部には、座面部２１が形成されている。この座面部２１は、トリガ支持機構１７に含まれる固定ナット２２（締結部材）を配置するためのものである。
【００２７】
さらに、グリップ本体１９には、座面部２１に連通し、且つグリップ本体１９の下面に貫通する貫通孔２３（挿通孔）が設けられている。この貫通孔２３の中心軸線は、座面部２１に直交しており、これにより、固定ナット２２を確実に締め込むことができるようになっている。貫通孔２３の内面には、雌ねじが形成されている。この雌ねじの作用効果については後述する。
【００２８】
加えて、グリップ本体１９の前面部には、図示していないがリール固定孔が設けられている。このリール固定孔は、リール１１の一方の脚部（図中右側の脚部）が挿入されるようになっている。
【００２９】
リールシート部２０は、リール１１が載置されるリール載置部２４と、リール１１の他方の脚部（図中左側の脚部）を上記リール固定孔に押し付けるための締付部２５とを備えている。
【００３０】
リール載置部２４は、上面２６が平面上に形成されており、リール１１の脚部を載置しやすいようになっている。リール載置部２４は中空構造にすることができる。このようにすれば、ロッド本体１４の基端部１５を挿入してロッド本体１４を確実に片持ち支持することができる。
【００３１】
締付部２５は、押圧部材２７と締込部材２８とを含んでいる。押圧部材２７はリール載置部２４に外側から嵌め込まれており、リール載置部２４の長手方向（図中左右方向）に沿ってスライド可能となっている。押圧部材２７の右端部には、リール１１の他方の脚部が挿入される挿入部３０が形成されている。
【００３２】
また、締込部材２８は中空の円錐状に形成されており、内部にねじが形成されている。この締込部材２８は、リール載置部２４に螺合されており、締込部材２８を回転させることによってリール載置部２４の長手方向（図中左右方向）に沿ってスライドするようになっている。したがって、締込部材２８を回転させていくと、押圧部材２７がスライドし、これにより、押圧部材２７とグリップ本体１９との間でリール１１の脚部を締付固定することができるようになっている。なお、締込部材２８の外周面には、ローレット２９が形成されており、締込部材２８を締め込む際に手が滑らないようになっている。
【００３３】
図２は、トリガ１２の構造を示す拡大斜視図である。
【００３４】
同図を参照して、トリガ１２はたとえば合成樹脂により構成することができ、本実施形態では細長のブロック状に形成されている。トリガ１２の前面３１は湾曲面に形成されている。この前面３１は釣人がロッド１０を把持した際に人差指または中指が当接する面である。以下、この前面３１を指掛面３１という。
【００３５】
本実施形態では、トリガ１２の上面３２に上記支持軸１３が一体的に形成されている。もっとも、この支持軸１３をトリガ１２と別部材とし、これをトリガ１２に連結するような構造とすることもできる。
【００３６】
再び図１を参照して、トリガ支持機構１７は、上記支持軸１３と、上記貫通孔２３と、上記固定ナット２２とを備えている。図２に示すように、支持軸１３は円柱状の部材であって、その外周面に雄ねじ３２が形成されている。この支持軸１３はグリップ本体１９に設けられた貫通孔２３に挿通されるが、支持軸１３に形成された雄ねじ３２が貫通孔２３に形成された雌ねじと係合する。そして、固定ナット２２が貫通孔２３に挿通された支持軸１３の先端からねじ込まれ、座面部２１に当接することにより、支持軸１３が固定される。
【００３７】
したがって、トリガ１２は、支持軸１３の軸方向Ｎのまわりに回転することができ、所望の角度に設定して固定することができる。なお、本実施形態では、貫通孔２３に雌ねじを形成し、支持軸１３に雄ねじ３２を形成して両者を螺合させ、この状態を固定するために固定ナット２２を用いているが、貫通孔２３に雌ねじを設けずに支持軸１３の先端に固定ナット２２を２つねじ込ませ、いわゆるダブルナットをかけることにより固定するようにしてもよい。
【００３８】
本実施形態によれば、トリガ支持機構１７により、トリガ１２の角度を変化させることができる。具体的には、トリガ１２を支持軸１３のまわりに回転させることにより、指掛面３１の方向を左右（図２の矢印３３の方向）に傾けることができる。これにより、釣人の手、指のサイズに合致したトリガ１２の角度を設定することができ、釣人がロッド１０を把持したときに、釣人の指が指掛面３１に良好に当接し、安定してロッド１０を保持することができる。その結果、正確なキャスティングを可能とすると共に長時間の釣りにおいても指の疲労を抑えることができるという効果がある。
【００３９】
特に本実施形態では、トリガ１２に支持軸１３を設け、これを挿通孔２３に挿通して固定ナット２２で固定するという構造を採用しており、トリガ１２は支持軸１３のまわりに回動し、所望の位置で固定される。したがって、トリガ支持機構１７の構造がきわめて簡単であり、コストの上昇を抑えることができる。
＜第２の実施形態＞
次に、本発明の第２の実施形態について説明する。
【００４０】
図３は、本発明の第２の実施形態に係るベイトキャスティングロッド４０の要部拡大図である。本実施形態に係るロッド４０が上記第１の実施形態に係るロッド１０と異なるところは、上記ロッド１０では、トリガ１２の角度を変化させるためのトリガ支持機構１７として支持軸１３と貫通孔２３との組み合わせを採用したのに対して、本実施形態ではいわゆるピロボール式連結構造を採用している点である。その他の構成については上記第１の実施形態と同様であるので、同様の構成については同様の参照符号を付してその説明を省略する。
【００４１】
図３を参照して、トリガ支持機構１７は、トリガ１２に連結された支持軸４１と、その先端に設けられた球状部材４２と、グリップ本体１９に設けられた保持器４３とを備えている。
【００４２】
支持軸４１は、棒状の部材であって、円柱状のほか角柱状に形成することができる。この支持軸４１はトリガ１２と一体的に形成することができるが、別体としてトリガ１２に連結するようにしてもよい。
【００４３】
また、球状部材４２は、その外形形状が球状に形成されている。球状部材４２は支持軸４１に設けられているが、これらを一体的に形成することもできる。球状部材４２は、たとえば合成樹脂により構成することができるが、金属により構成することもできる。
【００４４】
さらに、保持器４３は、開口４４を有し、この開口４４に連通して球状部材収容部４５が形成されている。この球状部材収容部４５は、その内周面が球状に形成されており、球状部材４２を摺動可能に囲繞保持することができるようになっている。保持器４３は、図に示すようにグリップ本体１９の内部に埋設されている。保持器４３の外形形状は、本実施形態では球状に形成されているが、これに限定されず、直方体状等に形成することもできる。
【００４５】
本実施形態によれば、上記第１の実施形態と同様に、トリガ支持機構１７により、トリガ１２の角度を変化させることができる。これにより、釣人の手、指のサイズに合致したトリガ１２の角度を設定することができ、釣人がロッド４０を把持したときに、釣人の指が指掛面３１に良好に当接し、安定してロッド４０を保持することができる。その結果、正確なキャスティングを可能とすると共に長時間の釣りにおいても指の疲労を抑えることができるという効果がある。
【００４６】
特に本実施形態では、トリガ支持機構１７は、トリガ１２をピロボール式連結構造を介してグリップ本体１９に連結するから、トリガ１２は、すべての方向に回転することができる。これにより、トリガ１２の角度を自在に変化させることができるという利点がある。その結果、トリガ１２の角度を釣人の手、指のサイズにいっそう合致させることができる。
【００４７】
また図４は、本実施形態の変形例に係るトリガ支持機構１７の構造を示す要部拡大図である。
【００４８】
この変形例では、上記トリガ支持機構１７にさらに固定部材４６が設けられている。この固定部材４６は、球状部材４２を保持器４３に固定するためのものである。
【００４９】
固定部材４６は、たとえば小径のボルトにより構成することができ、その軸部には雄ねじが形成されている。そして、この固定部材４６を締め込むために、グリップ本体１９の先端部に座面４７が形成され、この座面４７に連通し且つ上記埋設された保持器４３に至るねじ孔４８が形成されている。さらに、保持器４３にはねじ孔４８に連通する孔４９が設けられている。
【００５０】
この変形例では、トリガ１２の角度を所望の角度に調整し、その状態で固定部材４６をグリップ本体１９の上方からねじ孔４８にねじ込む。これにより、固定部材４６が保持器４３の孔４９を通って球状部材４２に押し付けられ、球状部材４２が保持器４３に対して固定される。したがって、釣人が自分自身に最も合致したトリガ１２の角度を自由に設定することができるという利点がある。
【００５１】
なお、固定部材４６の頭部にいわゆるローレットを形成することもできる。これにより、固定部材４６を容易且つ確実にねじ込むことができる。また、固定部材４６の先端部は先細り状に形成することができる。これにより、固定部材４６を球状部材４２に確実に押し付けることができ、トリガ１２の固定を確実なものとすることができる。
【００５２】
【発明の効果】
以上のように本願発明によれば、釣人の手、指のサイズに合うようにトリガの角度を変化させることができるから、釣人がロッドを把持したときに安定してロッドを保持することができる。その結果、正確なキャスティングを可能とすると共に長時間の釣りにおいても指の疲労を抑えることができる。
【図面の簡単な説明】
【図１】本発明の第１の実施形態に係るベイトキャスティングロッドの要部拡大図である。
【図２】本発明の第１の実施形態に係るトリガの構造を示す拡大斜視図である。
【図３】本発明の第２の実施形態に係るベイトキャスティングロッドの要部拡大図である。
【図４】第２の実施形態の変形例に係るトリガ支持機構の構造を示す要部拡大図である。
【図５】従来のベイトキャスティングロッドにリールを取り付けた状態を示す要部拡大図である。
【符号の説明】
１０  ロッド
１２  トリガ
１３  支持軸
１４  ロッド本体
１６  グリップ部
１７  トリガ支持機構
１９  グリップ本体
２０  リールシート部
２２  固定ナット
２３  貫通孔
３１  指掛面
４０  ロッド
４１  支持軸
４２  球状部材
４３  保持器
４５  球状部材収容部
４６  固定部材
【図１】
0003878045.tif 000002
【図２】
0003878045.tif 000003
【図３】
0003878045.tif 000004
【図４】
0003878045.tif 000005
【図５】
0003878045.tif 000006